(57)【要約】【課題】サイズの異なる複数種類のメダルを使用できるゲーム装置を提供する。【解決手段】テーブルＴ上又は可動台Ｐ上にメダルを投入するための投入口として、小メダルＳを投入するための第一の投入口と、大メダルＬを投入するための第二の投入口と、を備える。同じテーブルＴ上にサイズの異なるメダルＳ，Ｌを混在させる事ができるので、従来無かった変化に富んだ娯楽性が実現される。例えば、メダルのサイズに応じて価値を変え、価値の高いメダルの獲得を狙わせたり、また、投入するメダルの大きさや厚みによって、テーブルＴ上に堆積したメダルを可動台に押されて押し出す効果が異なるので、メダルの堆積状況などによって投入するメダルを使い分ける面白味も得られる。【選択図】  図３
2004275615.tif 000002
【特許請求の範囲】
【請求項１】
メダルを滞留させ一端が払出し口に臨むテーブルと、前記テーブルの他端側から進退する可動台と、
前記テーブル上又は可動台上に第一のサイズのメダルを投入するための第一の投入口と、
前記テーブル上又は可動台上に第二のサイズのメダルを投入するための第二の投入口と、
を備えたことを特徴とするゲーム装置。
【請求項２】
メダルを滞留させ一端が払出し口に臨むテーブルと、
前記テーブルの他端側から進退する可動台と、
第一のサイズのメダル又は第二のサイズのメダルを投入するための投入口と、
前記投入口から投入されたメダルを、前記第一のサイズのメダルか第二のサイズのメダルかに応じて、前記テーブル上又は可動台上の異なる位置へ導く手段と、
を備えたことを特徴とするゲーム装置。
【請求項３】
前記第一のサイズのメダル又は前記第二のサイズのメダルの一方が投入されたときにそのことを検出して所定のアクションを行う手段を備えたことを特徴とする請求項１又は２記載のゲーム装置。
【発明の詳細な説明】
【０００１】
【発明の属する技術分野】
本発明は、メダルを用いるゲーム装置の改良に関する。
【０００２】
【従来の技術】
近年、生活水準の向上や娯楽の多様化に伴って各種ゲームの隆盛が著しいが、ゲーム場のメダルゲームのなかで「プッシャーゲーム機」や「メダル落とし」と呼ばれるゲーム装置が不動の人気を誇っている。このゲーム装置の単純な例は一段式である。すなわち、メダルの滞留するテーブルの一端が払出し口に臨み、このテーブル上には他端側から、メダルを押し出す可動台がモーターの力で繰り返し一定の幅でゆっくり進退（スライド）している。テーブル上の払出し口側にはゲーム場スタッフや以前のプレーヤの提供したメダルが堆積し、払出し口側にせり出してこぼれ落ちんばかりになっており、あとわずかに押されれば多数のメダルが払出し口に落ちて獲得できそうに見える。
【０００３】
そこでプレーヤは、タイミングと位置を見計らって、投入口から手持ちのメダルを投入する。目指すのは、可動台が退いたときにテーブルの空いている部分にメダルを落とすことである。そのためにプレーヤは、可動式のガイドレールで狙ったり、上の方から投入してパチンコ式の落下経路が思惑通りになることを祈る。うまくいって、テーブル上の空いた部分にメダルが平らに落ちれば、進み出てくる可動台の力がトコロテン式に伝わって、堆積したメダルが押されて動き、運が良ければ払出し口に落ち、ゲームの賞品として多数のメダルがプレーヤの手に入る。
【０００４】
しかし、投入したメダルが堆積したメダルの上に乗ってしまうと失敗で、可動台の力が堆積したメダルに伝わらないため無駄になる。一度に複数投入する作戦もあるが、投入したメダル同士が重なるとこれもまた効果が薄くなる。
【０００５】
また、二段式のものもある。すなわち、可動台の上が一段目テーブルになっていてメダルがある程度滞留しており、可動台が退くときに一段目テーブルの半ばまで固定障害物が相対的に進出してくる。プレーヤがメダルを投入できるのは一段目テーブルで、可動台が出て来ているときに一段目テーブルの空いた部分にメダルを投入できれば、可動台が退いてゆくときに固定障害物でメダルが押され、滞留した分が下のテーブルに落ち、あとは上記の一段式と同様である。
【０００６】
ところで、上記のような従来のプッシャーゲーム機では、使えるメダルは、一つのゲーム場で使えるメダルの種類に準じて一種類に限られ、変化が乏しい問題があった。そこで、変化をつけるために各ゲーム場ではスタッフが手作業で、堆積した通常のメダルとは別に、賞品や、多数のメダルを筒巻きやおひねり状にしたもの、多数のメダルや賞品と引き換える特別なカプセルなどをテーブルに置いて、プレーヤにこれらを狙わせる工夫も行われている。
【０００７】
また、この種のゲーム機自体としても、スロットが揃うなど一定の条件が満たされるとテーブル上に球体等の異型物が自動供給され、メダルを落とす場合と同じ要領でこの球体をテーブル終端から払出し口に落とすと、多数のメダルが別途得られるなど特別なゲーム性をもたらすものも提案されている（特許文献１参照）。
【０００８】
【特許文献１】
特開２００２−２５３８４２
【０００９】
【発明が解決しようとする課題】
しかしながら、上記のような従来技術における球体は、あくまでも自動的にテーブルに供給され、テーブルの終端から落ちた場合も自動的に機構内に回収されるため、プレーヤは、その球体を獲得して他のゲームに転用することは不可能であり、楽しみ方のバリエーションには限界があった。
【００１０】
本発明は、上記のような従来技術の問題点を解決するために提案されたもので、その目的は、サイズの異なる複数種類のメダルを使用できるゲーム装置を提供することである。
【００１１】
【課題を解決するための手段】
上記の目的を達成するため、請求項１の発明は、メダルを滞留させ一端が払出し口に臨むテーブルと、前記テーブルの他端側から進退する可動台と、前記テーブル上又は可動台上に第一のサイズのメダルを投入するための第一の投入口と、前記テーブル上又は可動台上に第二のサイズのメダルを投入するための第二の投入口と、を備えたことを特徴とする。
【００１２】
請求項２のゲーム装置は、メダルを滞留させ一端が払出し口に臨むテーブルと、前記テーブルの他端側から進退する可動台と、第一のサイズのメダル又は第二のサイズのメダルを投入するための投入口と、前記投入口から投入されたメダルを、前記第一のサイズのメダルか第二のサイズのメダルかに応じて、前記テーブル上又は可動台上の異なる位置へ導く手段と、を備えたことを特徴とする。
【００１３】
これらの態様では、同じテーブル上にサイズの異なるメダルを混在させる事ができるので、従来無かった変化に富んだ娯楽性が実現される。例えば、メダルのサイズに応じて価値を変え、価値の高いメダルの獲得を狙わせたり、また、投入するメダルの大きさや厚みによって、テーブル上に堆積したメダルを可動台に押されて押し出す効果が異なるので、メダルの堆積状況などによって投入するメダルを使い分ける面白味も得られる。
【００１４】
特に、請求項２の発明では、メダルがそのサイズに応じてテーブル上や可動台の異なる位置に導かれることで、一層変化に富んだゲーム性が提供される。
【００１５】
請求項３の発明は、請求項１又は２記載のゲーム装置において、前記第一のサイズのメダル又は前記第二のサイズのメダルの一方が投入されたときにそのことを検出して所定のアクションを行う手段を備えたことを特徴とする。
【００１６】
この態様では、投入するメダルのサイズによって、例えばスロットゲームの起動などのアクションを行わせることで、より一層変化に富んだ娯楽性が実現される。
【００１７】
【発明の実施の形態】
次に、本発明の実施の形態（以下「本実施形態」と呼ぶ）について、添付図面を参照して具体的に説明する。
【００１８】
〔１．構成〕
図１は本実施形態のゲーム装置（以下「本装置」と呼ぶ）の全体構成を示し、図２及び図３は、本装置におけるテーブル、可動台及びメダルを示す部分拡大図である。すなわち、本装置は、図２及び図３に示すように、メダルを滞留させ一端が払出し口Ｗに臨むテーブルＴと、テーブルＴの他端側から進退する可動台Ｐと、を備える。
【００１９】
また、本装置は、図１〜図３に示すように、テーブルＴ上又は可動台Ｐ上にメダルを投入するための投入口として、第一のサイズのメダル（以下「小メダルＳ」と表す）を投入するための第一の投入口Ｃ１と、第二のサイズのメダル（以下「大メダルＬ」と表す）を投入するための第二の投入口Ｃ２と、を備える。なお、メダルの材質は金属に限らずプラスチックスなど自由である。
【００２０】
〔２．作用及び効果〕
上記のように構成された本実施形態では、図２及び図３に示すように、同じテーブルＴ上にサイズの異なるメダルＳ，Ｌを混在させる事ができるので、従来無かった変化に富んだ娯楽性が実現される。例えば、メダルのサイズに応じて価値を変え、価値の高いメダルの獲得を狙わせたり、また、投入するメダルの大きさや厚みによって、テーブルＴ上に堆積したメダルを可動台に押されて押し出す効果が異なるので、メダルの堆積状況などによって投入するメダルを使い分ける面白味も得られる。
【００２１】
特に、本実施形態は、図１のような個人用を複数設置したり、複数人用機械として一体構成もできる。そして、獲得したメダルＳやＬはそれらの他の席へ持って行って使用するよう構成する事ができ、ゲーム場の総合的な営業的戦略にも利用する事ができる点で、特許文献１におけるような異型物とは根本的に異なり、応用性が高いものである。
【００２２】
〔３．他の実施形態〕
なお、本発明は上記実施形態に限定されるものではなく、次に例示するような他の実施形態も含むものである。例えば、投入口から投入されたメダルを、第一のサイズのメダルか第二のサイズのメダルかに応じて、コインガイドスロープなどによりテーブル上又は可動台上の異なる位置へ導くようにしてもよい。このように、メダルがそのサイズに応じてテーブル上や可動台の異なる位置に導かれるようにすれば、一層変化に富んだゲーム性が提供される。なお、この場合、第一のサイズのメダルの投入口と第二のサイズのメダルの投入口は、異なってもよいし共通でもよい。
【００２３】
また、第一のサイズのメダル又は第二のサイズのメダルの一方が投入されたときにそのことを検出して所定のアクションを行うようにしてもよい。このように、投入するメダルのサイズによって、例えばスロットゲームの起動などのアクションを行わせるようにすれば、より一層変化に富んだ娯楽性が実現される。
【００２４】
【発明の効果】
以上のように、この発明によれば、サイズの異なる複数種類のメダルを使用できるゲーム装置を提供することができるので、従来より変化に富んだ娯楽性が実現される。
【図面の簡単な説明】
【図１】本発明の実施形態のゲーム装置の全体構成を示す斜視図。
【図２】本発明の実施形態におけるテーブルで可動部が退いた状態における部分拡大斜視図。
【図３】本発明の実施形態におけるテーブルで可動部が進み出た状態における部分拡大斜視図。
【符号の説明】
Ｔ…テーブル
Ｐ…可動台
Ｓ…小メダル
Ｌ…大メダル
Ｃ１，Ｃ２…投入口
Ｗ…払出し口
【図１】
2004275615.tif 000003
【図２】
2004275615.tif 000004
【図３】
2004275615.tif 000005